(57)【要約】      （修正有）【課題】デッキプレートの運搬作業や鉄筋の結束作業の効率を向上させ、作業コストの低減を図ることができる鉄筋コンクリートの配筋方法の提供。【解決手段】鉄筋結束具４２の第２鉄筋係止部４８を底板２４上に折り畳まれた状態のデッキプレート２２の配筋構造２５に係止させる工程と、横筋５０を鉄筋結束具４２の第１鉄筋係止部４６に係止させる工程と、デッキプレート２２の配筋構造２５を回動させて、配筋構造２５を底板２４上に折り畳まれた状態から引き起こす工程と、デッキプレート２２の固定部材により、配筋構造２５を回動不能にしてその位置を固定する工程を備える。【選択図】図６
2020204186.tif 000002
【特許請求の範囲】
【請求項１】
底板と、前記底板上に折り畳みできるように前記底板の上面に対して回動可能に設けられた配筋構造と、前記配筋構造を回動不能にしてその位置を固定する固定部材を備えたデッキプレートと、
連結部と、前記連結部の側面に設けられた第１鉄筋係止部と、前記連結部の前記第１鉄筋係止部と反対側の側面に設けられた第２鉄筋係止部を備えた鉄筋結束具を用い、
前記鉄筋結束具の前記第２鉄筋係止部を前記底板上に折り畳まれた状態の前記デッキプレートの前記配筋構造に係止させる工程と、
横筋を前記鉄筋結束具の前記第１鉄筋係止部に係止させる工程と、
前記デッキプレートの前記配筋構造を回動させて、前記配筋構造を前記底板上に折り畳まれた状態から引き起こす工程と、
前記デッキプレートの前記固定部材により、前記配筋構造を回動不能にしてその位置を固定する工程を備えた
ことを特徴とする鉄筋コンクリートの配筋方法。
【請求項２】
前記デッキプレートの前記底板に設けられた前記配筋構造は、前記底板の長さ方向に伸び、前記底板の上面より上方に所定の間隔をおいた位置に配置される上弦材と、前記上弦材と略平行に伸び、前記上弦材の下方の前記底板の上面に沿って配置され、前記底板の上面に対して回動可能に設けられた下弦材と、前記上弦材と前記下弦材の間を繋ぐように設けられたラチス材を備え、
前記鉄筋結束具の前記第２鉄筋係止部が、前記配筋構造の前記上弦材に係止される
ことを特徴とする請求項１に記載の鉄筋コンクリートの配筋方法。
【請求項３】
前記鉄筋結束具は、複数の前記第１鉄筋係止部が、細長く伸びる前記連結部の側面に前記連結部の長さ方向に沿って設けられると共に、複数の第２鉄筋係止部が、前記連結部の前記第１鉄筋係止部と反対側の側面に前記連結部の長さ方向に沿って設けられ、
前記鉄筋結束具が、前記デッキプレートの前記底板に設けられた複数の前記配筋構造のそれぞれの前記上弦材の上を架け渡すように配置されて、複数の前記第２鉄筋係止部のそれぞれが、複数の前記配筋構造のそれぞれの前記上弦材に係止され、
前記横筋が、前記鉄筋結束具の前記連結部の長さ方向に沿って配置されて、前記鉄筋結束具の前記第１鉄筋係止部に係止される
ことを特徴とする請求項２に記載の鉄筋コンクリートの配筋方法。
【発明の詳細な説明】
【技術分野】
【０００１】
本発明は、建築構造物における床スラブのような鉄筋コンクリートの構造物において、コンクリートの内部に配置される格子状の鉄筋を形成するための、鉄筋コンクリートの配筋方法に関するものである。
【背景技術】
【０００２】
図８ないし図９は、従来の鉄筋コンクリートの配筋方法について説明するために参照する図である。
【０００３】
Ｓ造やＳＲＣ造等の建築構造物における床スラブのような鉄筋コンクリートの構造物においては、コンクリートの引っ張り強度を補強するために、コンクリートの内部に縦横方向に格子状に並んだ鉄筋が配置されていた。
【０００４】
そして、従来は、そのような鉄筋コンクリート構造の床スラブを形成して、そのコンクリートの内部に格子状の鉄筋が形成されるようにするために、コンクリートの内部に配置される鉄筋の一部が予め固定されており、コンクリートの打設時にはコンクリートの型枠として機能し、コンクリートの硬化後はそのまま床スラブの一部となるような床スラブ用のデッキプレートが用いられていた（例えば特許文献１の図１参照）。
【０００５】
従来の床スラブ用のデッキプレート２は、図８に示すように、底板４と、底板４の上面側に設けられた複数（２つ）の配筋構造５を備えていた。
【０００６】
デッキプレート２の底板４は、図８（ａ）に示すように、図中上下方向に所定の厚さを有する略長方形の板状に形成され、その幅方向（図中左右方向）の一方の端部には連結雄部４ａが、他方の端部には連結雌部４ｂが、底板４の長さ方向（図の紙面に垂直方向）に沿ってそれぞれ形成されていた。
【０００７】
デッキプレート２の配筋構造５は、図８（ａ）に示すように、底板４の長さ方向（図の紙面に垂直方向）に伸びる丸棒状の上弦材６と、この上弦材６と略平行に伸びる丸棒状の部材であって、上弦材６より図中下方に、上弦材６を挟んで底板４の幅方向（図中左右方向）に略左右対称に設けられた２つの下弦材７と、これらの上弦材６と２つの下弦材７を繋ぐように略ハの字状に設けられた２つのラチス材８を備えていた。
【０００８】
配筋構造５のラチス材８はそれぞれが、図８（ｂ）に示すように、細長い丸棒状の部材をその長さ途中の複数の位置で曲げて、山部８ａと谷部８ｂが傾斜部８ｃを介して交互に連続するようなジグザグ状に形成されていた。
【０００９】
そして、２つのラチス材８は、図８（ａ）に示すように、それぞれの山部８ｂが上弦材６の外周面を図中左右両側から挟み込むように配置されると共に、それぞれの傾斜部８ｃの長さ途中部に、上記２つの下弦材７のそれぞれの外周面が接触するように配置され、それぞれの接触部が溶接等により固定されていた。そして、２つのラチス材８のそれぞれの谷部８ｂは、底板４の上面に沿うように曲げられていた。
【００１０】
このような配筋構造５が、底板４の上面側に複数（２つ）設けられ、それぞれの配筋構造５は、２つのラチス材８のそれぞれの谷部８ｂと底板４の上面の接触部を、溶接等により接合することにより、底板４の上面に固定されていた。
【００１１】
このようなデッキプレート２は、十分な強度や耐食性を有する材料を用いて形成され、例えば、鋼板により形成された底板４の上面に、棒鋼により形成された上弦材６及び下弦材７、ラチス材８からなる配筋構造５が溶接されることにより形成されていた。
【００１２】
このような従来のデッキプレート２を用いて鉄筋コンクリート構造の床スラブ１を形成するには、まず、図９に示すように、形成する床スラブの大きさに合わせて、複数のデッキプレート２をその幅方向（図中左右方向）に並べて配置する。
【００１３】
このとき、それぞれのデッキプレート２の底板４の連結雄部４ａが、これと隣り合って配置された別のデッキプレート２の底板４の連結雌部４ｂに連結され、それにより、全体で一枚の大きなデッキプレートが形成される。
【００１４】
そして、図９に示すように、図中左右方向に伸びる丸棒状の横筋１０を、上記の一枚の大きなデッキプレートを形成する複数のデッキプレート２のそれぞれの底板４に設けられた複数の配筋構造５の、それぞれの上弦材６の上に載置して、これらの上弦材６の上を架け渡すように配置する。
【００１５】
そして、この横筋１０が複数の上弦材６と交差するそれぞれの交差部で、細長い鉄線状の鉄筋結束具１２を用いて交差する横筋１０と上弦材６を結束し、横筋１０がこれらの上弦材６の上で動かないように固定する。
【００１６】
同じようにして、複数の横筋１０を、上弦材６の上に、図の紙面に垂直方向に所定の距離をおいて互いに略平行に並ぶように配置し、それぞれの横筋１０が複数の上弦材６と交差するそれぞれの交差部で、細長い鉄線状の鉄筋結束具１２を用いて交差する横筋１０と上弦材６を結束する。
【００１７】
これにより、デッキプレート２の底板４の上面より上方に所定の間隔をおいた位置に、上弦材６（縦筋）と横筋１０が縦横方向に格子状に並んで配置されるようになっていた。
【００１８】
そして、図９に示すように、上記の一枚の大きなデッキプレートの外周部を囲むように型枠１４を設け、コンクリート１６を、型枠１４とデッキプレート２の底板４に囲まれたその内側部に、デッキプレート２の配筋構造５と横筋１０がコンクリート１６の内部に配置されるような厚さで打設する。
【００１９】
そして、コンクリート１６が硬化した後に型枠１４を取り外すことにより、デッキプレート２の底板４が底部となり、上弦材６（縦筋）と横筋１０からなる格子状の鉄筋がコンクリート１６の内部に配置された床スラブ１が形成され、デッキプレート２は床スラブ１と一体化して、そのまま床スラブ１の一部として使用されるようになっていた。
【００２０】
このように、従来の鉄筋コンクリートの配筋方法においては、そのようなデッキプレート２や鉄筋結束具１２を用いることによって、鉄筋コンクリート構造の床スラブ１のコンクリート１６の内部に配置される格子状の鉄筋が形成されるようになっていた。
【先行技術文献】
【特許文献】
【００２１】
【特許文献１】特開２０１３−１６３９１４号公報
【発明の概要】
【発明が解決しようとする課題】
【００２２】
しかしながら、上述したような従来の鉄筋コンクリートの配筋方法では、一度に多数のデッキプレートを運搬することができないため、デッキプレートの運搬効率が低下して、作業コストが増大するというという問題があった。
【００２３】
すなわち、従来のデッキプレート２は、それ自体は比較的重量の軽い部材であったが、その配筋構造５が丸棒状の部材（上弦材６、下弦材７、ラチス材８）を組み合わせて立体的に形成されているため、その高さ方向（図８（ａ）中上下方向）に占める寸法が大きく、非常に嵩張る部材となっていた。
【００２４】
そのため、デッキプレート２を建設現場に搬入するためにトラック等に積み込む際に、トラックの荷台等に積載可能な高さ寸法の限界までデッキプレート２をその高さ方向に積み重ねたとしても、積み込んだデッキプレート２の総重量が、トラック等の最大積載重量に対してはるかに小さくなってしまい、トラック等の積載重量に無駄が生じていた。
【００２５】
そして、大規模な建築現場で使用するための膨大な数のデッキプレート２を建築現場に搬入する際には、上記のような積載重量に無駄が生じた状態のトラック等を用いて、デッキプレート２の運搬作業を繰り返し行うことになり、その分、運送費がかかるだけでなく、トラック等への積み込みや、建築現場での積み下ろしの作業もその度に行う必要があるため、運搬効率が低下して、それに伴う作業コストの増大を招いていた。
【００２６】
また、上述したような従来の鉄筋コンクリートの配筋方法では、上弦材６の上に載置された横筋１０の位置決め作業や、上弦材６と横筋１０の交差部の結束作業が煩雑なため、作業効率が低下するという問題もあった。
【００２７】
すなわち、従来の鉄筋コンクリートの配筋方法では、上弦材６と横筋１０の交差部を結束する際に、上弦材６の上に載置された横筋１０の、上弦材６に対する角度や隣の横筋１０との間隔を計測して、その位置決めを行う必要があり、その度に計測のための器具を用意しなければならず、また、場合によっては横筋１０を動かしながらその間隔や角度を調整する必要もあるため、その位置決め作業は非常に煩雑なものとなっていた。
【００２８】
また、上述したような鉄線状の鉄筋結束具１２を用いて上弦材６と横筋１０の交差部を結束する方法では、鉄筋を結束する速度や結束部の作業品質が、作業を行う者の作業習熟度に依存するため、作業の迅速化、合理化がしにくいというという問題もあった。
【００２９】
そこで本発明は、上記問題点に鑑みて、デッキプレートの運搬作業や鉄筋の結束作業の効率を向上させ、作業コストの低減を図ることができる鉄筋コンクリートの配筋方法を提供することを課題とするものである。
【課題を解決するための手段】
【００３０】
上記課題を解決するために、本発明の鉄筋コンクリートの配筋方法は、
底板と、前記底板上に折り畳みできるように前記底板の上面に対して回動可能に設けられた配筋構造と、前記配筋構造を回動不能にしてその位置を固定する固定部材を備えたデッキプレートと、
連結部と、前記連結部の側面に設けられた第１鉄筋係止部と、前記連結部の前記第１鉄筋係止部と反対側の側面に設けられた第２鉄筋係止部を備えた鉄筋結束具を用い、
前記鉄筋結束具の前記第２鉄筋係止部を前記底板上に折り畳まれた状態の前記デッキプレートの前記配筋構造に係止させる工程と、
横筋を前記鉄筋結束具の前記第１鉄筋係止部に係止させる工程と、
前記デッキプレートの前記配筋構造を回動させて、前記配筋構造を前記底板上に折り畳まれた状態から引き起こす工程と、
前記デッキプレートの前記固定部材により、前記配筋構造を回動不能にしてその位置を固定する工程を備えた
ことを特徴とするものである。
【００３１】
また、本発明の鉄筋コンクリートの配筋方法は、
前記デッキプレートの前記底板に設けられた前記配筋構造は、前記底板の長さ方向に伸び、前記底板の上面より上方に所定の間隔をおいた位置に配置される上弦材と、前記上弦材と略平行に伸び、前記上弦材の下方の前記底板の上面に沿って配置され、前記底板の上面に対して回動可能に設けられた下弦材と、前記上弦材と前記下弦材の間を繋ぐように設けられたラチス材を備え、
前記鉄筋結束具の前記第２鉄筋係止部が、前記配筋構造の前記上弦材に係止される
ことを特徴とするものである。
【００３２】
また、本発明の鉄筋コンクリートの配筋方法は、
前記鉄筋結束具は、複数の前記第１鉄筋係止部が、細長く伸びる前記連結部の側面に前記連結部の長さ方向に沿って設けられると共に、複数の第２鉄筋係止部が、前記連結部の前記第１鉄筋係止部と反対側の側面に前記連結部の長さ方向に沿って設けられ、
前記鉄筋結束具が、前記デッキプレートの前記底板に設けられた複数の前記配筋構造のそれぞれの前記上弦材の上を架け渡すように配置されて、複数の前記第２鉄筋係止部のそれぞれが、複数の前記配筋構造のそれぞれの前記上弦材に係止され、
前記横筋が、前記鉄筋結束具の前記連結部の長さ方向に沿って配置されて、前記鉄筋結束具の前記第１鉄筋係止部に係止される
ことを特徴とするものである。
【発明の効果】
【００３３】
このような本発明の鉄筋コンクリートの配筋方法によれば、
底板と、前記底板上に折り畳みできるように前記底板の上面に対して回動可能に設けられた配筋構造と、前記配筋構造を回動不能にしてその位置を固定する固定部材を備えたデッキプレートと、
連結部と、前記連結部の側面に設けられた第１鉄筋係止部と、前記連結部の前記第１鉄筋係止部と反対側の側面に設けられた第２鉄筋係止部を備えた鉄筋結束具を用い、
前記鉄筋結束具の前記第２鉄筋係止部を前記底板上に折り畳まれた状態の前記デッキプレートの前記配筋構造に係止させる工程と、
横筋を前記鉄筋結束具の前記第１鉄筋係止部に係止させる工程と、
前記デッキプレートの前記配筋構造を回動させて、前記配筋構造を前記底板上に折り畳まれた状態から引き起こす工程と、
前記デッキプレートの前記固定部材により、前記配筋構造を回動不能にしてその位置を固定する工程を備えたことにより、
デッキプレートの運搬作業や鉄筋の結束作業の効率を向上させ、作業コストの低減を図ることができる。
【図面の簡単な説明】
【００３４】
【図１】本発明の一実施の形態に係る鉄筋コンクリートの配筋方法に用いられるデッキプレート２２を示す図であって、図１（ａ）はその正面図であり、図１（ｂ）はその側面図である。
【図２】図１に示すデッキプレート２２の配筋構造２５を折り畳む手順を説明するための図であって、図２（ａ）はデッキプレート２２の側面図であり、図２（ｂ）は固定部材３０を省略したデッキプレート２２の正面図である。
【図３】本発明の一実施の形態に係る鉄筋コンクリートの配筋方法に用いられる鉄筋結束具４２の斜視図である。
【図４】図３に示す鉄筋結束具４２を示す図であって、図４（ａ）はその正面図であり、図４（ｂ）は図４（ａ）のＡ−Ａ線矢視断面図である。
【図５】図１に示すデッキプレート２２及び図３に示す鉄筋結束具４２を用いた、本発明の一実施の形態に係る鉄筋コンクリートの配筋方法について説明するための、固定部材３０を省略したデッキプレート２２の概略正面図である。
【図６】本発明の一実施の形態に係る鉄筋コンクリートの配筋方法について説明するための、固定部材３０を省略したデッキプレート２２の概略正面図である。
【図７】本発明の一実施の形態に係る鉄筋コンクリートの配筋方法について説明するための図であり、図７（ａ）はデッキプレート２２の概略側面図であり、図７（ｂ）は本発明により形成された床スラブ５２の概略断面図である。
【図８】床スラブ用の従来のデッキプレート２を示す図であって、図８（ａ）はその正面図であり、図８（ｂ）はその側面図である。
【図９】従来のデッキプレート２を用いて床スラブ１を形成するための手順を説明するための概略断面図である。
【発明を実施するための形態】
【００３５】
以下、本発明に係る鉄筋コンクリートの配筋方法を実施するための形態について、図面に基づいて具体的に説明する。
【００３６】
図１ないし図７は、本発明の一実施の形態に係る鉄筋コンクリートの配筋方法について説明するために参照する図である。
【００３７】
図１及び図２は、本実施の形態に係る鉄筋コンクリートの配筋方法に用いられるデッキプレート２２について説明するために参照する図である。
【００３８】
デッキプレート２２は、図１に示すように、底板２４と、底板２４の上面に設けられた複数の配筋構造２５と、それぞれの配筋構造２５の、底板２４の長さ方向（図１（ｂ）中左右方向）の両端部に設けられた固定部材３０を備えている。
【００３９】
デッキプレート２２の底板２４は、図１（ａ）に示すように、図中上下方向に所定の厚さを有し、図の紙面に垂直方向に所定の長さを有する略長方形の板状に形成され、その長さ方向に対して直角な幅方向（図中左右方向）の一方（図中左側）の端部には連結雄部２４ａが、幅方向の他方の端部には連結雌部２４ｂ（図５（ａ）参照）が、底板２４の長さ方向に沿ってそれぞれ設けられている。
【００４０】
これらの連結雄部２４ａ及び連結雌部２４ｂは、それぞれの断面形状が互いに係合するようなフック状に形成されている。
【００４１】
それにより、複数のデッキプレート２２をその幅方向に並べて配置して、それぞれのデッキプレート２２の底板２４の連結雄部２４ａを、これと隣り合って配置された別のデッキプレート２２の底板２４の連結雌部２４ｂに係合させることにより、複数のデッキプレート２２をその幅方向に連結することができるようになっている。
【００４２】
デッキプレート２２の配筋構造２５は、図１（ａ）に示すように、底板２４の長さ方向（図の紙面に垂直方向）に伸びる丸棒状の上弦材２６及び下弦材２７と、これらの上弦材２６と下弦材２７を繋ぐように設けられたラチス材２８を備えている。
【００４３】
そして、上弦材２６が、底板２４の上面より上方に所定の間隔をおいた位置に配置され、その上弦材２６と略平行に伸びる下弦材２７が、上弦材２６の図中下方の底板２４の上面に沿って配置されている。
【００４４】
配筋構造２５のラチス材２８は、図１（ｂ）に示すように、細長い丸棒状の部材をその長さ途中の複数の位置で曲げて、山部２８ａと谷部２８ｂが傾斜部２８ｃを介して交互に連続するようなジグザグ状に形成されている。
【００４５】
そして、ラチス材２８は、図１（ａ）に示すように、その山部２８ｂが上弦材２６の図中下側の外周面に接触し、その谷部２８ｂが下弦材２７の図中上側の外周面に接触するように配置され、それぞれの接触部が溶接等により固定されている。
【００４６】
このような配筋構造２５が、図１（ａ）に示すように、底板２４の上面側に、底板２４の幅方向（図中左右方向）に互いに所定の間隔をおいて略平行に並んで複数配置されている。
【００４７】
そして、それぞれの配筋構造２５は、図１（ｂ）に示すように、底板２４の上面に沿って配置された下弦材２７の長さ方向（図中左右方向）の途中部に設けられた複数の軸受部材２９によって、底板２４の上面に対して、下弦材２７の軸線回りに回動可能に設けられている。
【００４８】
軸受部材２９は、図１（ａ）に示すように、所定の厚さを有する細長い板状の部材の長さ方向（図中左右方向）の両端部が底板２４の上面に固定されると共に、その長さ中央部が、下弦材２７の外周面に沿うように、下弦材２７の直径よりわずかに大きな円筒状に曲げられて形成され、その円筒形状の内部に下弦材２７が緩く挿通されている。
【００４９】
デッキプレート２２の固定部材３０は、図１（ａ）に示すように、所定の長さを有する丸棒状の部材を、図中下側に開口する略Ｃ字形に曲げたような形状に形成され、略Ｃ字形の開口部と反対側（図中上側）の長さ部分には、水平方向（図中左右方向）に伸びる支持部３０ａが形成され、固定部材３０の略Ｃ字形の開口部を挟んで配置される固定部材２０の両端部には、水平方向に伸びる軸部３０ｂがそれぞれ形成されている。
【００５０】
そして、固定部材３０は、図１（ａ）に示すように、その支持部３０ａが、デッキプレート２２の底板２４の上面に設けられた２つの配筋構造２５の、それぞれの上弦材２６の図中下方の外周面に接触してこれを支持すると共に、その軸部３０ｂが、底板２４の上面に沿って、底板２４の幅方向（図中左右方向）と略平行に配置されている。
【００５１】
そして、固定部材３０は、それぞれの軸部３０ｂに設けられた軸受部材３１によって、底板２４の上面に対して、軸部３０ｂの軸線回りに回動可能に設けられている。
【００５２】
軸受部材３１は、図１（ｂ）に示すように、所定の厚さを有する細長い板状の部材の長さ方向（図中左右方向）の両端部が底板２４の上面に固定されると共に、その長さ中央部が、固定部材３０の軸部３０ｂの外周面に沿うように、軸部３０ｂの直径よりわずかに大きな円筒状に曲げられて形成され、その円筒形状の内部に固定部材３０の軸部３０ｂが緩く挿通されている。
【００５３】
このような固定部材３０が、図１（ｂ）に示すように、底板２４の上面に設けられた配筋構造２５の長さ方向（図中左右方向）の両端部にそれぞれ設けられ、それぞれの固定部材３０の支持部３０ａによって、配筋構造２５の上弦材２６の長さ両端部が支持されることにより、配筋構造２５が回動できなくなってその位置が固定されるため、配筋構造２５の上弦材２６が底板２４の上面より上方に所定の間隔をおいた位置に配置されるようになっている。
【００５４】
このようなデッキプレート２２は、十分な強度や耐食性を有する材料を用いて形成され、例えば、鋼板により形成された底板２４の上面に、棒鋼により形成された上弦材２６、下弦材２７、ラチス材２８からなる配筋構造２５と、棒鋼により形成された固定部材３０が、鋼板により形成された軸受部材２９、３１を用いて回動可能に取り付けられることにより、形成することができる。
【００５５】
そして、このようなデッキプレート２２によれば、図２に示すように、配筋構造２５を底板２４上に折り畳むことにより、デッキプレート２２の高さ方向に占める寸法を小さくすることができるようになっている。
【００５６】
すなわち、図２（ａ）に示すように、固定部材３０を、その支持部３０ａが配筋構造２５の上弦材２６から離れるように回動させることにより、配筋構造２５を、下弦材２７の軸線回りに回動させることができるようになるため、図２（ｂ）に示すように、底板２４の上面に設けられた配筋構造２５を、その上弦材２６が底板２４に接近するように回動させて折り畳むことができ、底板２４の上面に設けられた複数の配筋構造２５を全て折り畳むことにより、デッキプレート２２の高さ方向に占める寸法を小さくすることができる。
【００５７】
これにより、デッキプレート２２をトラック等に積み込む際に、より多くのデッキプレート２２をその高さ方向に積み重ねることができるため、一度に多くのデッキプレート２２をトラック等に積み込んで運搬することができ、それにより、運搬の回数を減らして運送費を削減できると共に、トラック等への積み込みや建築現場での積み下ろしの作業の回数も減らすことができるため、作業全体の効率を向上させることができる。
【００５８】
図３及び図４は、本実施の形態に係る鉄筋コンクリートの配筋方法に用いられる鉄筋結束具４２について説明するために参照する図である。
【００５９】
鉄筋結束具４２は、図３に示すように、細長く伸びる連結部４４と、連結部４４の側面に沿って設けられた複数の第１鉄筋係止部４６と、連結部４４の第１鉄筋係止部４６と反対側の側面に沿って設けられた複数の第２鉄筋係止部４８を備えている。
【００６０】
連結部４４は、断面形状が略円形（図４（ｂ）参照）に形成され、図４（ａ）中左右方向に連続して細長く伸びるように形成されている。
【００６１】
第１鉄筋係止部４６は、図４（ｂ）に示すように、所定の長さを有する丸棒状の部材を図中上側に開口する略Ｃ字形に曲げたような形状に形成され、第１鉄筋係止部４６の略Ｃ字形の開口部４６ｂの間隔は、第１鉄筋係止部４６の略Ｃ字形の中心孔４６ａの直径より小さく形成されている。
【００６２】
そして、図４（ａ）に示すように、複数の第１鉄筋係止部４６が、連結部４４の図中上側の側面に、連結部４４の長さ方向（図中左右方向）に沿って所定の間隔をおいて並ぶように設けられている。
【００６３】
このとき、それぞれの第１鉄筋係止部４６は、中心孔４６ａの軸線が連結部４４の長さ方向に対して略平行になるように配置され、第１鉄筋係止部４６の略Ｃ字形の開口部４６ｂと反対側の部分の外周部が連結部４４の側面に接合されている。
【００６４】
第２鉄筋係止部４８は、図４（ａ）に示すように、第１鉄筋係止部４６と同じように、所定の長さを有する丸棒状の部材を図中下側に開口する略Ｃ字形に曲げたような形状に形成され、第２鉄筋係止部４８の略Ｃ字形の開口部４８ｂの間隔は、第２鉄筋係止部４８の略Ｃ字形の中心孔４８ａの直径より小さく形成されている。
【００６５】
そして、図４（ａ）に示すように、複数の第２鉄筋係止部４８が、連結部４４の図中下側の側面に、連結部４４の長さ方向（図中左右方向）に沿って所定の間隔をおいて並ぶように設けられている。
【００６６】
このとき、それぞれの第２鉄筋係止部４８は、中心孔４８ａの軸線が第１鉄筋係止部４６の中心孔４６ａの軸線に対して略直角になるように配置され、第２鉄筋係止部４８の略Ｃ字形の開口部４８ｂと反対側の部分の外周部が連結部４４の側面に接合されている。
【００６７】
このような鉄筋結束具４２は、その連結部４４が、例えば、合成樹脂や金属のような可撓性を有する材料により形成されており、それにより、連結部４４をその長さ方向に対して垂直な方向に向かって撓ませるように変形させることができるため、十分な長さの鉄筋結束具４２を予め形成しておき、その連結部４４をロール状に丸めた状態で輸送及び保管し、必要に応じて上記のロールから必要な長さの鉄筋結束具４２を引き出して、切り取って使用することができるようになっている。
【００６８】
また、鉄筋結束具４２の第１鉄筋係止部４６や第２鉄筋係止部４８は、例えば、合成樹脂や金属のような弾性材料により形成されており、それにより、第１鉄筋係止部４６や第２鉄筋係止部４８の開口部４６ｂ，４８ｂを、その間隔が大きく広がるように弾性変形させることができるようになっている。
【００６９】
それにより、第１鉄筋係止部４６や第２鉄筋係止部４８の中心孔４６ａ，４８ａの直径と略同一の直径の丸棒状の鉄筋を、第１鉄筋係止部４６や第２鉄筋係止部４８の開口部４６ｂ，４８ｂから中心孔４６ａ，４８ａの内部へと押し込むことにより、第１鉄筋係止部４６や第２鉄筋係止部４８に係止させることができるようになっている。
【００７０】
このようなデッキプレート２２や鉄筋結束具４２を用いて、鉄筋コンクリート構造の床スラブ等を形成する際に、そのコンクリートの内部に配置される格子状の鉄筋を形成する手順について説明する。
【００７１】
図５ないし図７は、本実施の形態に係る鉄筋コンクリートの配筋方法を用いて、鉄筋コンクリート構造の床スラブのコンクリートの内部に配置される格子状の鉄筋を形成する手順について説明するために参照する図である。
【００７２】
まず、工場等において製作された複数のデッキプレート２２を、その配筋構造２５が底板２４上に折り畳まれた状態（図２（ｂ）参照）でトラック等に積み込んで運搬し、建築現場に搬入する。
【００７３】
そして、図５（ａ）に示すように、形成する床スラブの大きさに合わせて、搬入された複数のデッキプレート２２を、その幅方向（図中左右方向）に並べて配置する。
【００７４】
このとき、それぞれのデッキプレート２２の底板２４の連結雄部２４ａが、これと隣り合って配置された別のデッキプレート２２の底板２４の連結雌部２４ｂに連結され、それにより、全体で一枚の大きなデッキプレートが形成される。
【００７５】
そして、図５（ａ）に示すように、鉄筋結束具４２を、その連結部４４が図中左右方向に伸びて、上記の一枚の大きなデッキプレートを形成する複数のデッキプレート２２のそれぞれの底板２４の上面に設けられた複数の配筋構造２５の、それぞれの上弦材２６の上を架け渡すように配置し、その連結部４４の図中下側の側面に沿って設けられた複数の第２鉄筋係止部４８のそれぞれを、複数の配筋構造２５のそれぞれの上弦材２６に係止させる。
【００７６】
このとき、鉄筋結束具４２は、その連結部４４の図中下側の側面に沿って設けられた第２鉄筋係止部４８の間隔が、上記の一枚の大きなデッキプレートを形成する複数のデッキプレート２２のそれぞれの底板２４の上面に設けられた複数の配筋構造２５のそれぞれの上弦材２６の間隔に一致するように形成されている。
【００７７】
そして、図５（ｂ）に示すように、鉄筋結束具４２の連結部４４の長さ方向に沿って図中左右方向に伸びる丸棒状の横筋５０を、鉄筋結束具４２の連結部４４の図中上側の側面に沿って設けられた第１鉄筋係止部４６に係止させる。
【００７８】
同じようにして、複数の鉄筋結束具４２を、上弦材２６の上に、図５（ａ）の紙面に垂直方向に所定の距離をおいて互いに略平行に並ぶように配置して、その第２鉄筋係止部４８をそれぞれの上弦材２６に係止させ、それぞれの鉄筋結束具４２の長さ方向に沿って配置された複数の横筋５０を、それぞれの鉄筋結束具４２の第１鉄筋係止部４６に係止させる（図６（ａ）参照）。
【００７９】
そして、図６（ａ）に示すように、横筋５０の長さ途中部を、クレーン等（図示せず）を用いて図中上方に向けて引き上げるように操作することにより、その横筋５０に係止された鉄筋結束具４２や、その鉄筋結束具４２に係止された配筋構造２５の上弦材２６も引き上げられ、それにより、配筋構造２５がその下弦材２７の軸線回りに回動して、折り畳まれた状態から引き起こされるようになっている。
【００８０】
このとき、配筋構造２５と鉄筋結束具４２は、配筋構造２５の上弦材２６が鉄筋結束具４２の第２鉄筋係止部４８に対して完全に固定されておらず、第２鉄筋係止部４８の中心孔４８ａの内部で上弦材２６の軸線回りに回動することができるようになっているため、引き起こされる配筋構造２５の動作が制限されないようになっている。
【００８１】
その結果、図６（ｂ）に示すように、上記の一枚の大きなデッキプレートを形成する複数のデッキプレート２２のそれぞれの底板２４に設けられた複数の配筋構造２５を、底板２４上に折り畳まれた状態から一度に引き起こすことができるようになっている。
【００８２】
そして、図７（ａ）に示すように、それぞれのデッキプレート２２の固定部材３０を、その支持部３０ａが配筋構造２５の上弦材２６の図中下方の外周面に接触して、上弦材２６を支持するように回動させることにより、配筋構造２５の位置が固定され、デッキプレート２２の底板２４の上面より上方に所定の間隔をおいた位置に、上弦材２６（縦筋）と横筋５０が格子状に並んで配置されるようになっている。
【００８３】
そして、図７（ｂ）に示すように、上記の一枚の大きなデッキプレートの外周部を囲むように型枠５４を設け、コンクリート５６を、型枠５４とデッキプレート２２の底板２４に囲まれたその内側部に、デッキプレート２２の配筋構造２５と横筋５０がコンクリート５６の内部に配置されるような厚さで打設する。
【００８４】
そして、コンクリート５６が硬化した後に型枠５４を取り外すことにより、デッキプレート２２の底板２４が底部となり、上弦材２６（縦筋）と横筋５０からなる格子状の鉄筋がコンクリート５６の内部に配置された床スラブ５２が形成されるようになっている。
【００８５】
このように、本発明の実施の形態に係る鉄筋コンクリートの配筋方法を用いることにより、鉄筋コンクリート構造の床スラブのコンクリートの内部に配置される格子状の鉄筋が形成されるようになっている。
【００８６】
また、本実施の形態に係る鉄筋コンクリートの配筋方法によれば、配筋構造２５を底板２４上に折り畳むことができるデッキプレート２２を用いることにより、運搬作業の効率を向上させることができる。
【００８７】
また、本実施の形態に係る鉄筋コンクリートの配筋方法によれば、鉄筋結束具４２を用いることにより、横筋５０の位置決め作業や、上弦材２６と横筋５０の交差部の結束作業の効率を向上させることができる。
【００８８】
すなわち、デッキプレート２２の配筋構造２５の上弦材２６に取り付けた鉄筋結束具４２の位置がそのまま横筋５０を配置する位置になるため、鉄筋の交差部を結束する一連の作業の一部として横筋５０の位置決めを行うことができ、位置決めのために横筋５０を動かす必要がないため、位置決め作業を効率よく行うことができる。
【００８９】
また、鉄筋結束具４２は、丸棒状の鉄筋（上弦材２６や横筋５０）を第１鉄筋係止部４６や第２鉄筋係止部４６の中心孔４６ａ，４８ａに押し込んで係止させるようになっているため、その作業には特別な工具や技能は必要なく、不慣れな者であっても、容易かつ短時間に交差する鉄筋を結束することができる。
【００９０】
そして、本実施の形態に係る鉄筋コンクリートの配筋方法によれば、デッキプレート２２と鉄筋結束具４２を用いることにより、複数のデッキプレート２２のそれぞれの底板２４に設けられた複数の配筋構造２５を、底板２４上に折り畳まれた状態から一度に引き起こすことができる。
【００９１】
このように、本発明の実施の形態に係る鉄筋コンクリートの配筋方法によれば、デッキプレートの運搬作業や鉄筋の結束作業の効率を向上させ、作業コストの低減を図ることができる。
【００９２】
なお、本発明は、前記実施の形態のみに限定されるものではなく、本発明の目的を達成することができる範囲内であれば、種々の変更が可能である。
【００９３】
例えば、前記実施の形態に係る鉄筋コンクリートの配筋方法に用いられるデッキプレート２２においては、底板２４は平坦な板状に形成されていたが、例えば、底板２４を補強するために、底板２４の上面や下面にリブが形成されていたり、底板２４自体が波板状に形成されていてもよい。
【００９４】
また、前記実施の形態に係る鉄筋コンクリートの配筋方法に用いられるデッキプレート２２においては、配筋構造２５のラチス材２８は、一つの細長い丸棒状の部材をジグザグ状に曲げて形成されていたが、上弦材２６と下弦材２７の間を繋ぐような形状であれば他のどのような形状であってもよく、また、ラチス材２８が複数の部材で構成されていてもよい。
【００９５】
また、前記実施の形態に係る鉄筋コンクリートの配筋方法に用いられるデッキプレート２２においては、配筋構造２５は、互い略平行に伸びる上弦材２６と下弦材２７を備えて構成されていたが、これらの上弦材２６と下弦材２７の間に、これらと略平行に伸びる１つ又は複数の鉄筋（中弦材）が配置されるような構成であってもよい。
【００９６】
また、前記実施の形態に係る鉄筋コンクリートの配筋方法に用いられる鉄筋結束具４２においては、連結部４４は可撓性を有する材料により形成されているが、それに加えて、連結部４４を形成するために用いられる材料が弾性を有することにより、鉄筋結束具４２が連結部４４の長さ方向に伸縮するように形成されていてもよい。
【００９７】
また、前記実施の形態に係る鉄筋コンクリートの配筋方法に用いられる鉄筋結束具４２においては、第１鉄筋係止部４６と第２鉄筋係止部４８は、連結部４４の長さ方向の略同一の位置に設けられているが、第１鉄筋係止部４６の位置は、第２鉄筋係止部４８の位置に一致して設けられている必要はなく、例えば、第１鉄筋係止部４６が、２つの第２鉄筋係止部４８の略中間に設けられていてもよいし、また、複数の第１鉄筋係止部４６が一定の間隔で設けられていなくてもよい。
【００９８】
また、前記実施の形態に係る鉄筋コンクリートの配筋方法に用いられる鉄筋結束具４２においては、第１鉄筋係止部４６や第２鉄筋係止部４８は、丸棒状の部材を略Ｃ字形に曲げたような形状に形成されていたが、第１鉄筋係止部４６や第２鉄筋係止部４８の形状は鉄筋を係止して固定することができればどのような形状であってもよい。
【００９９】
また、前記実施の形態に係る鉄筋コンクリートの配筋方法に用いられる鉄筋結束具４２においては、第１鉄筋係止部４６や第２鉄筋係止部４８は、連結部４４と一体成型されてもよいし、それぞれ個別に形成された第１鉄筋係止部４６や第２鉄筋係止部４８が、接着や溶接により、後から連結部４４に接合されていてもよい。
【０１００】
また、前記実施の形態に係る鉄筋コンクリートの配筋方法は、図６（ａ）及び（ｂ）に示すように、横筋５０を上方に引き上げることにより配筋構造２５を引き起こしているが、横筋５０以外の上弦材２６や鉄筋結束具４２を引き上げるようにしてもよく、また上記の部材を複数同時に引き上げるようにしてもよい。
【０１０１】
また、前記実施の形態に係る鉄筋コンクリートの配筋方法は、図７（ｂ）に示すような建築構造物の床スラブ５２を形成する際に用いられるだけでなく、例えば壁材や柱材のような、他の鉄筋コンクリートの構造物を形成する際に用いてもよい。
【符号の説明】
【０１０２】
１  床スラブ
２  デッキプレート
４  底板
４ａ  連結雄部
４ｂ  連結雌部
５  配筋構造
６  上弦材
７  下弦材
８  ラチス材
８ａ  山部
８ｂ  谷部
８ｃ  傾斜部
１０  横筋
１２  鉄筋結束具
１４  型枠
１６  コンクリート
２２  デッキプレート
２４  底板
２４ａ  連結雄部
２４ｂ  連結雌部
２５  配筋構造
２６  上弦材
２７  下弦材
２８  ラチス材
２８ａ  山部
２８ｂ  谷部
２８ｃ  傾斜部
２９  軸受部材
３０  固定部材
３０ａ  支持部
３０ｂ  軸部
３１  軸受部材
４２  鉄筋結束具
４４  連結部
４６  第１鉄筋係止部
４６ａ  中心孔
４６ｂ  開口部
４８  第２鉄筋係止部
４８ａ  中心孔
４８ｂ  開口部
５０  横筋
５２  床スラブ
５４  型枠
５６  コンクリート
【図１】
2020204186.tif 000003
【図２】
2020204186.tif 000004
【図３】
2020204186.tif 000005
【図４】
2020204186.tif 000006
【図５】
2020204186.tif 000007
【図６】
2020204186.tif 000008
【図７】
2020204186.tif 000009
【図８】
2020204186.tif 000010
【図９】
2020204186.tif 000011